(57)【特許請求の範囲】
【請求項１】
通信ネットワーク（３００）を通して製品またはサービスのオークションの動作を実行する方法であって、
複数の売り手（１００）に、開始価格とともに前記製品またはサービスの仕様を送信し、その結果、前記複数の売り手（１００）は、複数のオファー（１０）を均質な方法で提示してオークションに出品可能であり、
複数の売り手（１００）から、オークションにより販売する前記製品またはサービスについての前記複数のオファー（１０）を受信し、
前記複数のオファー（１０）を、前記通信ネットワーク（３００）のデータベース（３１０）に記憶し、
複数の買い手（２００）から、前記製品またはサービスについての複数の購入提案（２０）を受信し、前記複数の購入提案（２０）は前記複数の売り手（１００）の前記オファー（１０）のそれぞれについて決定されており、
前記複数の購入提案（２０）を、前記通信ネットワーク（３００）の前記データベース（３１０）に記憶し、
前記複数の購入提案（２０）を処理すると共に複数のロット（３０）を決定し、前記複数のロット（３０）の各ロットは、前記複数のオファー（１０）の各オファーについて受信した前記複数の購入提案（２０）により構成されており、
前記複数の売り手（１００）の売り手の一人が前記複数のロット（３０）のそれぞれのロット（３０）を獲得する瞬間を監視し、適切な前記瞬間に前記ロット（３０）を獲得した前記複数の売り手（１００）の前記売り手は、前記オークションの間に、他の売り手（１００）の前に、彼が興味を持つ最低値と前記購入提案（２０）についての最高値との範囲内に構成される購入提案（２０）の前記ロット（３０）を、彼が興味を持つものとして定義し、獲得した前記それぞれのロット（３０）内の前記複数の購入提案（２０）を与えた前記複数の買い手（２００）に前記製品またはサービスを売り、
管理システム（５００）は、ボーナス・ファクタ（５０）の値を決定し、
前記購入提案（２０）の価格は、前記ボーナス・ファクタ（５０）に基づいて変更される、ことを含むことを特徴とする方法。
【請求項２】
前記通信ネットワーク（３００）は、インターネットであり、
前記複数の売り手（１００）および前記複数の買い手（２００）は、移動または固定の端末により、前記通信ネットワーク（３００）にアクセスする、ことを特徴とする、請求項１に記載の方法。
【請求項３】
通信ネットワーク（３００）を通して製品またはサービスのオークションの動作を実行する方法であって、
管理システム（５００）から、オークションにより売られる前記製品またはサービスについての基本仕様および開始価格を受信し、
複数の売り手（１００）に、前記基本仕様および開始価格にしたがって、均質な特徴を有する前記製品またはサービスを、前記複数の売り手（１００）に合致する十分な量でオークションに出すことができるように、情報を提示し、
前記複数の売り手（１００）から、オークションにより販売する前記製品またはサービスについての複数のオファー（１０）を受信し、
前記複数のオファー（１０）を、前記通信ネットワーク（３００）のデータベース（３１０）に記憶し、
同一開始価格のための、前記複数の売り手（１００）の各売り手に対して提示された仕様を有する前記複数のオファー（１０）に関する、前記通信ネットワーク（３００）の前記データベース（３１０）に記憶された情報を公開し、
それぞれの製品またはサービスの前記仕様および開始価格にしたがって、前記複数の売り手（１００）によりオファーされた前記製品またはサービスを、複数の買い手（２００）に提示し、
前記オークションを開始し、実時間で、前記複数の買い手（２００）の各買い手から受信した複数の購入提案（２０）を、前記複数の買い手（２００）の各買い手が前記複数の売り手（１００）の各売り手によりオファーされた各製品またはサービスについて支払いを実行する価格範囲にしたがって、前記複数の購入提案（２０）がグループ化されるように処理し、
前記複数の購入提案（２０）を、前記通信ネットワーク（３００）の前記データベース（３１０）に記憶し、
前記複数の売り手（１００）の売り手の一人がそれぞれのロット（３０）を獲得する瞬間を監視し、前記ロット（３０）は、前記獲得した売り手（１００）により定義された最低価格と最高価格との範囲で、オファーされたそれらの製品またはサービスについて与えられた前記複数の購入提案（２０）により構成されており、
前記管理システム（５００）は、ボーナス・ファクタ（５０）の値を決定し、
前記購入提案（２０）の価格は、前記ボーナス・ファクタ（５０）に基づいて変更される、ことを特徴とする方法。
【請求項４】
前記複数の買い手（２００）の各買い手は、前記複数の売り手（１００）の一人以上の売り手についてのオファーにおいて、前記製品の前記複数の購入提案（２０）を与えることができる、ことを特徴とする、請求項３に記載の方法。
【請求項５】
前記複数の買い手（２００）の各買い手の前記複数の購入提案（２０）の各購入提案は、前記複数の売り手（１００）の前記売り手のそれぞれによりオファーされたすべての前記製品について等価であり得る、ことを特徴とする、請求項４に記載の方法。
【請求項６】
前記複数の買い手（２００）の各買い手の前記複数の購入提案（２０）の各購入提案は、前記複数の売り手（１００）の前記売り手のそれぞれによりオファーされた各製品について異なる値であり得ることを特徴とする、請求項４に記載の方法。
【請求項７】
前記複数の売り手（１００）の前記売り手の一人による前記それぞれのロット（３０）の購入は、
前記複数の売り手（１００）の前記売り手が定義し、前記複数の購入提案（２０）の前記購入提案の最高値まで受け入れることを実行する前記開始価格であって、この値範囲内のそれらの製品に付随した値を有する前記複数の購入提案（２０）のすべての購入提案を含む開始価格を定義し、
前記複数の売り手（１００）のこの売り手により取られた最低価格より低い値を有する前記複数の購入提案（２０）のすべての前記購入提案を自動的に無視し、
前記製品またはサービスの前記オークションに参加する前記複数の売り手（１００）のすべての他の売り手を無視する、ことを特徴とする、請求項４に記載の方法。
【請求項８】
前記通信ネットワーク（３００）は、インターネットであり、
前記複数の売り手（１００）および前記複数の買い手（２００）は、移動または固定の端末により、前記通信ネットワーク（３００）にアクセスする、ことを特徴とする、請求項３に記載の方法。
【請求項９】
通信ネットワーク（３００）を通して製品またはサービスのオークションの動作を実行するシステムであって、
ボーナス・ファクタ（５０）の値を決定する管理システム（５００）を有し、
複数の買い手（２００）および複数の売り手（１００）は、前記通信ネットワーク（３００）により相互に接続され、
前記通信ネットワーク（３００）は、前記複数の売り手（１００）から前記製品またはサービスについての複数のオファー（１０）を、前記複数の買い手（２００）から前記製品またはサービスについての前記複数のオファー（１０）の各オファーについての複数の購入提案（２０）を、受信するように構成され、
前記通信ネットワーク（３００）は、さらに、データベース（３１０）内に、前記複数のオファー（１０）および前記複数の購入提案（２０）を記憶するように構成され、
前記通信ネットワーク（３００）は、前記複数の購入提案（２０）を処理し、オファーされた各製品またはサービスについて受信した前記複数の購入提案（２０）により構成される複数のロット（３０）を決定し、
前記通信ネットワーク（３００）は、実時間で、前記複数の売り手（１００）の前記売り手のそれぞれによりオファーされた各製品またはサービスについて、前記複数の購入提案（２０）および前記複数の買い手（２００）のすべての提案をグループ化するように編集し、その結果、前記複数の売り手は、魅力的または許容可能であると定義した範囲内で、それぞれのロット（３０）を獲得でき、いかなる瞬間でも前記それぞれのロット（３０）を獲得すると決定可能であり、
前記通信ネットワーク（３００）は、実時間で、前記それぞれのロット（３０）を獲得する前記複数の売り手（１００）の前記売り手の一人による前記それぞれのロット（３０）の購入を監視し、
前記購入提案（２０）の価格は、前記ボーナス・ファクタ（５０）に基づいて変更される、ことを特徴とするシステム。
【請求項１０】
前記通信ネットワーク（３００）は、グループ化により、前記複数の購入提案（２０）を処理および編集するように構成され、前記それぞれのロット（３０）の前記購入について、前記複数の売り手（１００）の各売り手について価格範囲当たりの購入提案の総量を決定する、ことを特徴とする、請求項９に記載のシステム。
【請求項１１】
前記通信ネットワーク（３００）は、前記複数の売り手（１００）の前記売り手の一人により獲得された最低価格より低い、前記複数の購入提案（２０）の購入提案を与える前記複数の買い手（２００）の全体の前記複数の購入提案（２０）のすべての前記購入提案を無視する、ことを特徴とする、請求項１０に記載のシステム。
【請求項１２】
前記それぞれのロット（３０）の前記複数の買い手（２００）は、前記それぞれのロット（３０）を獲得した前記複数の売り手（１００）の前記売り手により獲得された前記範囲内に含まれるすべてのものである、ことを特徴とする、請求項１１に記載のシステム。
【請求項１３】
獲得された前記それぞれのロット（３０）の前記価格の前記複数の購入提案（２０）は、前記管理システム（５００）によりあらかじめ定義された割引（ボーナス）と一緒に獲得された前記それぞれのロット（３０）の最低価格範囲の定義の後に調整される、ことを特徴とする、請求項１２に記載のシステム。
【請求項１４】
前記それぞれのロット（３０）の前記最低価格範囲が判明した後に適用される前記割引（ボーナス）は、前記オークションの開始前に、前記製品またはサービスの前記オークションの参加者の全てに、前記管理システム（５００）によりあらかじめ定義および開示されている、ことを特徴とする、請求項１３に記載のシステム。
【請求項１５】
前記オークションの前に定義および開示された前記割引（ボーナス）は、市場変数および前記オークションのより良好な効率および性能を考慮して、前記管理システム（５００）の判断で、0%（ゼロ・パーセント）から100%（百パーセント）の範囲のパーセンテージで計算される、ことを特徴とする、請求項１４に記載のシステム。
【請求項１６】
前記割引（ボーナス）は、(PPmin)+((1-B%)*(PRLmin))の計算結果であり、
PRminは、獲得された前記それぞれのロット（３０）の前記複数の購入提案（２０）の最低購入提案の価格範囲の前記値に対応し、
B%は、最低購入提案より高い前記複数の購入提案（２０）の前記購入提案に適用される前記ボーナス・パーセンテージに対応し（前記計算によって、前記最低購入提案は同じ値に留まる）、
PRLは、前記複数の購入提案（２０）のそれぞれの購入提案の前記価格範囲で、前記ボーナスが適用される範囲の前記値に対応する、ことを特徴とする、請求項１５に記載のシステム。
【請求項１７】
前記通信ネットワーク（３００）は、インターネットであり、
前記複数の売り手（１００）および前記複数の買い手（２００）は、移動または固定の端末により、前記通信ネットワーク（３００）にアクセスする、ことを特徴とする、請求項９に記載のシステム。
【請求項１８】
通信ネットワーク（３００）を通して製品またはサービスのオークションの動作を実行するシステムであって、
前記通信ネットワーク（３００）により相互に接続されている管理システム（５００）、複数の買い手（２００）および複数の売り手（１００）と、を含み、
前記通信ネットワーク（３００）は、前記管理システム（５００）から、前記複数の売り手（１００）に提示されるそれぞれの開始価格の製品またはサービスの基本仕様を受信するように構成され、
前記通信ネットワーク（３００）は、前記複数の売り手（１００）から、前記基本仕様にしたがった複数のオファー（１０）、および、前記複数の買い手（２００）に提示される前記製品またはサービスについての前記それぞれの開始価格を受信するように構成され、
前記通信ネットワーク（３００）は、さらに、データベース（３１０）内に、前記基本仕様、および、前記複数の売り手（１００）の前記複数のオファー（１０）についての前記それぞれの開始価格を記憶するように構成され、
前記通信ネットワーク（３００）は、前記基本仕様および同一のそれぞれの開始価格にしたがって、前記複数の売り手（１００）の前記複数のオファー（１０）を参照する、前記通信ネットワーク（３００）の前記データベース（３１０）に記憶された情報を、インターネット上に公開し、
前記通信ネットワーク（３００）は、さらに、前記製品または前記サービスの購入についての複数の購入提案（２０）を、前記複数の買い手（２００）から受信するように構成され、
前記通信ネットワーク（３００）は、実時間で、前記複数の購入提案（２０）を処理し、前記通信ネットワーク（３００）の前記データベース（３１０）に記憶された前記複数の購入提案（２０）を、前記複数の売り手（１００）の各売り手により分配されるオークション価格の範囲にグループ化するように処理し、
前記通信ネットワーク（３００）は、
前記複数の売り手（１００）の前記売り手の一人がそれぞれのロット（３０）を獲得する瞬間を監視するように構成され、
獲得されたそれぞれのロット（３０）の最低価格範囲を定義し、
前記購入提案（２０）の適用される割引（ボーナス）の前記定義および計算を可能にし、次に前記複数の買い手（２００）の全体が、前記それぞれのロット（３０）を獲得した前記複数の売り手（１００）の前記売り手の前記製品またはサービスを獲得するように選択されるようにし、
前記管理システム（５００）は、ボーナス・ファクタ（５０）の値を決定し、
前記購入提案（２０）の価格は、前記ボーナス・ファクタ（５０）に基づいて変更される、ことを特徴とするシステム。
【請求項１９】
前記通信ネットワーク（３００）は、価格範囲ごとに分配された前記複数の購入提案（２０）の実価格、および、前記複数の売り手（１００）の前記売り手により獲得された前記それぞれのロット（３０）の製品またはサービスの量を決定するように構成されている、ことを特徴とする、請求項１８に記載のシステム。
【請求項２０】
前記通信ネットワーク（３００）は、前記それぞれのロット（３０）を獲得した前記複数の売り手（１００）の前記売り手により獲得された前記それぞれのロット（３０）における最低購入提案より低い購入提案を与える前記複数の買い手（２００）の前記複数の購入提案（２０）を無視し、
前記通信ネットワーク（３００）は、前記それぞれのロット（３０）を獲得しなかった前記複数の売り手（１００）の他の売り手について購入提案（２０）を与えた前記複数の買い手（２００）の前記複数の購入提案（２０）を無視する、ことを特徴とする、請求項１９に記載のシステム。
【請求項２１】
獲得された前記それぞれのロット（３０）に含まれる前記複数の購入提案（２０）を与えた前記複数の買い手（２００）は、前記それぞれのロット（３０）を獲得した前記複数の売り手（１００）の前記売り手から、前記製品またはサービスを購入する、ことを特徴とする、請求項２０に記載のシステム。
【請求項２２】
前記購入されたロットに含まれる前記複数の買い手（２００）は、前記ロットを獲得した前記売り手（１００）から、前記購入されたロット（３０）内のそれぞれの買い手により与えられた前記複数の購入提案（２０）における前記ボーナスの適用で調整された前記価格により、前記製品またはサービスを獲得した、ことを特徴とする、請求項２１に記載のシステム。
【請求項２３】
前記通信ネットワーク（３００）は、インターネットであり、
前記管理システム（５００）は、前記複数の売り手（１００）および前記複数の買い手（２００）を、移動または固定の端末により、前記通信ネットワーク（３００）にアクセス可能にする、ことを特徴とする、請求項１８に記載のシステム。
【請求項２４】
前記管理システム（５００）は、前記オークションの対象である前記製品およびサービスに関係する補助的な製品またはサービスの潜在的な登録された供給者に、前記複数の売り手（１００）によりオークションに出された前記製品およびサービスのそれぞれの仕様とともに公開する、ことを特徴とする、請求項１８に記載のシステム。
【請求項２５】
前記管理システム（５００）は、補助的な製品およびサービスの前記供給者に、獲得された製品およびサービスの量について知らせ、その結果、供給者がそのような製品およびサービスを供給する提案を提示できる、ことを特徴とする、請求項２４に記載のシステム。
【請求項２６】
前記管理システム（５００）は、オークションで前記製品に関係する前記製品およびサービスの前記供給者の前記オファーを受信した後に、前記複数の買い手（２００）にそのようなオファーを送り、その結果、前記複数の買い手は、オファーされた前記製品およびサービスの前記量に関係する利点を提示するため、前記複数の買い手（２００）は、前記供給者と契約する、ことを特徴とする、請求項２５に記載のシステム。
【請求項２７】
前記複数の買い手（２００）は、前記補助的な製品またはサービスの契約または購入のオプションを作成し、
前記オプションは、前記管理システム（５００）への通知を通してロット内で交渉され、
次に、前記管理システム（５００）は、補助的な製品またはサービスの前記供給者にそれらを送る、ことを特徴とする、請求項２６に記載のシステム。
【請求項２８】
製品またはサービスの前記供給者は、金融サービスをオファーする金融代理人であって、付加的に金融動作の保証人である金融代理人である、ことを特徴とする、請求項２４に記載のシステム。
【請求項２９】
製品またはサービスの前記供給者は、保険サービスをオファーする保険代理人であって、付加的に前記製品の使用条件の保証人である保険代理人である、ことを特徴とする、請求項２４に記載のシステム。
【請求項３０】
製品またはサービスの前記供給者は、アクセサリィとして、補助的な製品を供給または組み合わせることが可能である、ことを特徴とする、請求項２４に記載のシステム。
【発明の詳細な説明】
【技術分野】
【０００１】
本出願は、2015年4月27日付で出願したブラジル国特許出願番号BR102015009454-0の優先権を主張し、その内容をここで参照し、組み入れるものとする。
【０００２】
本発明は、通信ネットワークを通して製品またはサービスを売るためのオークション(auction)動作を実行するための方法およびシステムに関し、オークションは、製品またはサービスの仕様および参考価格を定義し、それらを、仕様および価格の均質な型式で、インターネット上にオークションのための製品またはサービスを提供する売り手（販売者(sellers)）に送信する管理システムにより制御され、そこでは、登録後に有効な買い手（バイヤ(buyers)）が、管理者(administrator)により規定された価格範囲内でその製品に入札(bid)し、入札は、各売り手への各製品またはサービスにより等しいかまたは異なる。買い手によりなされた入札は、データベースに範囲（レンジ）ごとに蓄積され、製品またはサービスは、供給者(suppliers)の一人が非常に魅力的と考えた瞬間に、その供給者の一人により最低価格からロット(lot)で購入される。さらにおよび並行して、金融(financial)、保険(insurance)サービス等のようなその製品を補助する関連するサービスも、ロットの形式で、サービス形式の供給者により申し込まれるが、買い手により使用されるこの場合においては、これらのサービスは、実行される業務の動作保証として相補的に供する。
【背景技術】
【０００３】
オークションは、公的な団体および私的な企業の両方により広く使用され、その目的は、製品またはサービスの購入または販売を、単純で、高速でそしてより競争的な方法で解決することである。
【０００４】
物理的なマーケット（市場）に起源を有するオークションは、製品またはサービスの業務における広い申し出（オファー(offer)）および購入(purchase)について、潜在的な買い手の全て、しかし多くは潜在的な買い手の大部分をグループ化することの困難さのために、芸術品またはいくつかの他のものの市場（マーケット）のような分野に限定されている。インターネットの出現で、オークションはよく知られたものになり、その訳は、潜在的な売り手および買い手の数を集合し、増やせるためである。
【０００５】
インターネット上での電子オークションは、世界中で増加しており、多くのマーケットにおいて、物理的なオークションマーケットでは実行不能である製品およびサービスの使用を可能にしている。このような特徴が、企業と一般人との間の異なる商売およびビジネスの非常に広い機会になることが分かる。
【０００６】
インターネット上で利用可能なオークション、およびこの手段に関係する特許も、物理的な媒体からインターネットまたは電子媒体へというコンセプト（概念）の移し替えにより特徴づけられ、今日もっとも知られているオークションは、最低価格を有する製品またはサービスのオファーにより実行され、その製品またはサービスの獲得に関心のある者（パーティ(parties)）は、最低価格より高い値を有する入札を行う。買い手は、製品またはサービスの獲得を互いに争い、購入が行われた最高入札に基づいてなされる。
【０００７】
このシステムにおいては、一般に、売り手間の競合が、他の買い手との間の競争になり、入札の照射が製品またはサービスの市場より高い価格を支払うということが分かる。この形式のオークションは、eBayおよびMercado Livreのようなサイトでのインターネットで起こってきた。
【０００８】
他の公知のオークションシステムは、ダッチ(Dutch)オークションである。この形式のオークションでは、従来のオークションとは類似せず、製品またはサービスの最高価格が決定される。このシステムでは、買い手のひとりが製品またはサービスの購入に同意するまで、所定の時間間隔で、価格が下落する。もし製品またはサービスを獲得する入札者がいなければ、価格は、売り手がその製品またはサービスを売ることを受け入れる最低保留価格になるまで下落し続ける。
【０００９】
セール（販売）における製品の価格が時間の進行に従って下落するオークションを行うシステムおよび方法は、ブラジル国特許出願BR505496-6に開示されている。この文献の記載によれば、製品またはサービスの価格は、ダイナミックであり（変化し）、定義されたまたは自動の変動を通して最低のマーケット価格に到達し、さらに言えば、価格はオファーと需要の関係の関数のようにダイナミックで、マーケット価格に近づく。
【００１０】
上記のオークションシステムの場合、インターネット上の特許で言及されたオークションと同様に、セールのオファーがあり、大部分の場合独立している買い手間で、所望の対象物、この場合は製品またはサービスについて競合し、「最高価格入札がそれを取る」に基づいた買い手のこの競合は、獲得を望んだ製品またはサービスのマーケット価格より高い価格を買い手が払うことになる方向に導く。
【００１１】
このように、インターネット上のまたは特許に記載された従来技術には、所望の対象物、この場合は均質の製品またはサービスについて買い手によりなされる購入の提案により構成されるロットを競争させるために売り手を競合させる、製品またはサービスのオークション動作を実行させるシステムおよび方法を、見つけ出すことはできない。売り手が買い手と競合するこの状況は、売り手が買い手に知られていないこのコスト価格、情報を知っている限りにおいて、商品およびサービスの価格を実際のコスト価格に近いレベルに下落させる傾向を有する。次にダイナミックな状況が起き、価格の低下はこのマーケットにより多くの買い手を引き付け、より多くの買い手の存在のために多くの他の売り手を引き付け、完全なマーケットになるという効果的な結果になる。
【発明の概要】
【発明が解決しようとする課題】
【００１２】
本発明は、電子またはインターネット環境に関係する物理的な環境のオークションの特徴から発展したものではなく、むしろ完全なマーケットという定義から発展したものであり、その定義は、
(I)多数の売り手および買い手が存在し、それぞれの個別の決定がグローバルマーケットに影響しないこと、
(II)製品またはサービスの均質性が存在し、すべての製品またはサービスは、すべての売り手に対して等しくまたは類似していること、
(III)透明性が存在し、参加者はマーケットが機能する一般条件の十分な知識を有すること、
(IV)情報への自由な広範囲のアクセスの存在、および
(V)買い手は、自身が好むまたは信頼する売り手の価格に差をつけられる状況にあるということである。
【００１３】
これらの点のすべてを最適化された方法で実行可能にして集積することは、インターネットの出現およびデータ処理および情報を利用可能にする技術の使用によってのみ可能であり、以下に示す目的を定義する。
【００１４】
本発明の第１の目的は、製品またはサービスのオークション動作の実行のためのシステムおよび方法の提供であり、そこでは、売り手が他の売り手と競合し、買い手によりなされたすべてのロット購入提案を、売り手がそれを魅力的と考えた時に取る。
【００１５】
本発明の第２の目的は、製品またはサービスのオークション動作の実行のためのシステムおよび方法の提供であり、そこでは、買い手によりなされた所定量の提案を有し、提案が売り手に魅力的と考えられる範囲内である時に、ロットは魅力的と考えられる。
【００１６】
本発明の第３の目的は、製品またはサービスのオークション動作の実行のためのシステムおよび方法の提供であり、そこでは、異なる売り手のオファーを受けた買い手は、入札を等しくするか異ならせることができ、または彼に興味を持たせない、売り手にオファーされた製品に入札しないことさえ可能である。
【００１７】
本発明の第４の目的は、製品またはサービスのオークション動作の実行のためのシステムおよび方法の提供であり、そこでは、売り手および買い手は、約条したそれぞれの入札に従って業務を実行する保証を有する。
【００１８】
本発明の第５の目的は、製品またはサービスのオークション動作の実行のためのシステムおよび方法の提供であり、そこでは、システムの管理者は、売り手により取られた最高入札範囲の値を、最低入札範囲の値に近づけるように、ボーナスファクタ（パーセント）を定義し、すべての人が、売り手により取られた範囲の最低値から比例して利益を受けるようにする。
【００１９】
本発明の第６の目的は、製品またはサービスのオークション動作の実行のためのシステムおよび方法の提供であり、そこでは、売買される製品に関係する金融および保険のような業務に関係する保証も、サービスの供給者によりロット内でオファーにより提供される。
【課題を解決するための手段】
【００２０】
本発明の目的は、通信ネットワークを通して製品またはサービスのオークション動作を実行する方法であって、複数の売り手に、開始価格を有する前記製品またはサービスの仕様を送信し、前記複数の売り手が複数のオファーを均質な方法でオークションに出品できるようにし、前記複数の売り手から、オークションにより販売する前記製品またはサービスについての前記複数のオファーを受信し、前記複数のオファーを、前記通信ネットワークのデータベースに記憶し、複数の買い手から、前記製品またはサービスについての複数の購入提案を受信し、前記複数の購入提案は前記複数の売り手の前記オファーのそれぞれについて決定され、前記複数の購入提案を、前記通信ネットワークの前記データベースに記憶し、前記複数の購入提案を処理すると共に複数のロットを決定し、前記複数のロットの各ロットは、前記複数のオファーの各オファーについて受信した前記複数の購入提案により構成され、そして前記複数の売り手の一人の売り手が、前記複数のロットのそれぞれのロットを獲得する瞬間を監視し、適切な前記瞬間に前記ロットを獲得した前記複数の売り手の前記売り手は、前記オークションの間に、他の売り手の前に、その対象の最低値と前記購入提案についての最高値との範囲内に構成される購入提案の前記ロットがその対象であり、獲得したそれぞれのロット内の前記複数の購入提案を与えた前記複数の買い手に前記製品またはサービスを売ることを定義する、方法により達成される。
【００２１】
本発明の目的は、通信ネットワークを通して製品またはサービスのオークション動作を実行するシステムであって、前記通信ネットワークにより相互に接続されている複数の買い手および複数の売り手と、を有し、前記通信ネットワークは、前記複数の売り手から前記製品またはサービスについての複数のオファーを、前記複数の買い手から前記製品またはサービスについての前記複数のオファーの各オファーについての複数の購入提案を、受信するように構成され、前記通信ネットワークは、さらに、データベース内に、前記複数のオファーおよび前記複数の購入提案を記憶するように構成され、前記通信ネットワークは、前記複数の購入提案を処理し、オファーされた各製品またはサービスについて受信した前記複数の購入提案により構成される複数のロットを決定し、前記通信ネットワークは、実時間で、前記複数の売り手の各売り手によりオファーされた各製品またはサービスについての前記複数の購入提案のすべての購入提案および前記複数の買い手をグループ化するように編集し、前記複数の売り手が魅力的または許容可能であると定義した範囲内で、それぞれのロットを獲得できるように、そしていかなる瞬間でもそれぞれのロットを獲得すると決定可能なようにし、前記通信ネットワークは、実時間で、それぞれのロットを獲得する前記複数の売り手の各売り手によるそれぞれのロットの獲得を監視する、システムによりさらに達成される。
【００２２】
本発明は、図面に示された実施形態の例を参照してより詳細に説明される。
【図面の簡単な説明】
【００２３】
【図１】図１は、本発明により提案されたオークションシステムの通信の概略構成である。
【図２】図２は、本発明により提案されたオークションのシミュレーションの基本構造である。
【図３】図３は、本発明により提案されたオークションのシミュレーションであり、買い手によりなされた購入提案およびボーナス・ファクタの適用のシミュレーションが詳細に示されている。
【図４】異なるボーナス・パーセンテージの適用のシミュレーションを有するボーナス・システムのデモンストレーションである。
【図５】オークションの処理の詳細な多重機能のフローチャートを示す。
【図６】オークションの処理の詳細な多重機能のフローチャートを示す。
【図７】オークションの処理の詳細な多重機能のフローチャートを示す。
【図８】オークションの処理の詳細な多重機能のフローチャートを示す。
【図９】オークションの処理の詳細な多重機能のフローチャートを示す。
【図１０】オークションの処理の詳細な多重機能のフローチャートを示す。
【図１１】オークションの処理の詳細な多重機能のフローチャートを示す。
【図１２】オークションの処理の詳細な多重機能のフローチャートを示す。
【発明を実施するための形態】
【００２４】
前に説明したように、本発明は、通信ネットワーク３００を通してオークション動作を実行するシステムを提供し、このシステムは、管理システム５００、複数の買い手２００および複数の売り手１００を有する。
【００２５】
通信ネットワーク３００は、基本的に、ダイナミック・データベース３１０およびインターネット／ウェブ・インターフェースを有し、データベース３１０は、ハード・ディスク・ドライブ（ＨＤＤ）、ＣＤドライブ、メモリ・カード、不揮発性記憶チップ（電気的に消去可能なプログラム可能な読み出し専用メモリ−ＥＥＰＲＯＭ）、フラッシュメモリ、またはデータを受信し、送信しそして記憶可能な他のいかなるメモリ・デバイスのようなものである。通信ネットワーク３００は、データベース３１０内に記憶されたデータを処理するための処理回路も有する。
【００２６】
通信ネットワーク３００は、パーソナル・エリア・ネットワーク（ＰＡＮ）、ローカル・エリア・ネットワーク（ＬＡＮ）、メトロポリタン・エリア・ネットワーク（ＭＡＮ）、ワイドエリア・ネットワーク（ＷＡＮ）、無線ローカル・エリア・ネットワーク（ＷＬＡＮ）、他のネットワークのような１つ以上の外部無線または有線ネットワークに接続される。
【００２７】
管理システム５００は、データベース３１０および通信ネットワーク３００のインターネット／ウェブ・インターフェースに接続される。
【００２８】
管理システム５００は、通信ネットワーク３００を通してオークション動作の実行の電子的参加に応答する、パーソナル・コンピュータ、タブレット、携帯装置、または他のもののような、移動または固定の端末に接続されるユーザである。管理装置５００がユーザである場合、ユーザは、例えば、提供されたアプリケーションによりオークションに参加する。
【００２９】
管理システム５００は、自律的および自動的であってもよく、プロセッサ、コントローラ、メモリまたは他の電子要素により、または人口知能により、通信ネットワーク３００を通してオークション動作の実行に参加可能であってもよい。
【００３０】
複数の買い手２００および複数の売り手１００は、移動または固定の端末により、通信ネットワーク３００のデータベース３１０およびインターネット／ウェブ・インターフェースに接続される。移動または固定の端末は、提供されたアプリケーションにより複数の買い手２００および複数の売り手１００を通信ネットワーク３００に接続可能な、パーソナル・コンピュータ、タブレット、携帯装置、または他の端末である。
【００３１】
複数の買い手２００、複数の売り手１００および管理システム５００は、通信ネットワーク３００により互いに接続される。複数の買い手２００および複数の売り手１００は、IEEE802.11(WiFi)無線ネットワーク、電話通信ネットワーク2G,3Gおよび4G（ゼネラル・パケット無線サービス-GPRS/ユニバーサル移動電話通信システム-UMTS/ワイド・コード分割多重アクセス-WCDMA/ロング・ターム・エボルーション-LTE)、赤外線プロトコル、Bluetooth（登録商標）または他の無線ネットワーク・プロトコルのような、各種のプロトコルを使用した無線ネットワークを通して、ＩＥＥＥ管理システム５００と通信する。
【００３２】
通信ネットワーク３００を通して製品またはサービスのオークション動作を実行する方法およびシステムは、管理システム５００が、オークション処理ルール、条件および保証、包含期間、提案／入札の修正および除去、適用されるボーナス率の定義、および必要と思われる他のルールを、定義する時に開始される。これらは、通信ネットワーク３００に接続される移動または固定の端末または人口知能を通して接続されるユーザによりマニュアルで決定される。人工知能の場合、電子要素は、例えば、実行された最後のオークションからデータを収集することが可能で、現在のオークションにどのメインルールを定義すべきかを決定する。
【００３３】
オークションのルールを決定した後、管理システム５００は、製品またはサービスのカテゴリィ、開始価格、およびベース・モデルを定義する。管理システム５００により定義されたこの情報の全ては、通信ネットワーク３００に送信され、データベース３１０に記憶される。
【００３４】
次に、通信ネットワーク３００は、データベース３１０に定義されて記憶された情報を処理する。一旦情報が処理されると、通信ネットワーク３００は、それを複数の売り手１００に送信し、情報を返信するデッドライン（期限）を通知する。
【００３５】
一旦このような情報が受信されると、複数の売り手１００は、管理システム５００のリファレンス内に入れた方が良い製品またはサービスのモデルおよび特徴を選択し、次に複数の売り手１００は製品またはサービスのオファー１０を送信し、このオファー１０は、このカテゴリィ内の製品およびサービスについての情報およびオファーした製品またはサービスの内容の詳細な特徴を有する。
【００３６】
同一の初期参考価格についての異なるオファー１０は、複数の売り手１００により送信され、異なるオファーは、例えば異なるブランドの車両、アクセサリィまたは他のものである。
【００３７】
次に、このオファー１０は、通信ネットワーク３００により受信され、データベース３１０内に記憶される。売り手１００のそれぞれにより送信されたオファー１０は、同一の初期参考価格について、インターネット／ウェブ・インターフェース内に記憶され、オファー１０の情報は、複数の買い手２００について利用可能にされる。
【００３８】
インターネット／ウェブ・インターフェース内に情報を記憶した後、管理システム５００は、この情報をアクセスが公衆に解除されたウェブサイト・ポータル内に製品またはサービスの情報のすべてと一緒に配置し、複数の売り手１００は、それらに禁じられた付加情報にアクセスできるかまたはできない。
【００３９】
製品またはサービスの情報が公表されると、複数の買い手２００は、オークションへの参加を開始するためにウェブサイトにアクセスする。
【００４０】
もし複数の買い手２００がウェブサイトに登録されていなければ、その識別データを満たし、管理システム５００から許可を取得し、登録の分析、契約期間の発行を報告し、売り手１００のそれぞれ、さらに複数の買い手２００、１つ以上の金融代理人および／または１つ以上の保険代理人も認証する。
【００４１】
オークション・システムの動作内容にアクセスするすべての者は、あらかじめ登録され、それらの資格付与のために管理システム５００により認証される。
【００４２】
金融代理人が対象である複数の買い手２００について考慮するならば、金融代理人は、保証および金融のオファーを提示し、それは、買い取られるロット３０と一緒に複数の買い手２００へのオファーとして組み込まれる詳細および金融の値を有している。しかし、金融のオファーは、複数の買い手２００に提示されたオプションであり、買い手はそれと契約する義務はない。
【００４３】
保険代理人が対象である複数の買い手２００について考慮するならば、後者は、個別にまたはグループで保険のオファーを提示し、それは、買い取られるロット３０と一緒に複数の買い手２００へのオファーとして組み込まれる詳細および保険の値を有している。しかし、保険のオファーは、複数の買い手２００に提示されたオプションであり、買い手はそれのための契約をする義務はない。
【００４４】
複数の買い手２００がウェブサイトに登録されたならば、対象の製品またはサービスのオプションを確認および選択するために、そこにアクセスする。選択は、複数の売り手１００のオファー１０を使用又は生成できる。複数の買い手２００は、製品またはサービスに対する購入／入札２０の提案を行い、購入／入札２０は、各売り手１００の各オファー１０について決定され、各オファー１０について等しいかまたは異なる値であってもよい。
【００４５】
例として、複数の買い手２００は、第１の売り手１００の車両に対する第１オファー１０でR$35.000,00の第１の購入／入札２０を、第２の売り手１００の車両に対する第２オファー１０でR$33.000,00の第２の購入／入札２０を、第３の売り手１００の車両に対する第３オファー１０でR$32.000,00の第３の購入／入札２０を、行い、買い手２００は、売り手１００の一人以上、またはすべてにオファー１０を提示する。
【００４６】
次に、購入／入札の提案２０は、通信ネットワーク３００のデータベース３１０に記憶され、売り手１００のオファーおよび値によりグループ化され、受信した購入提案２０を監視および処理する。
【００４７】
次に、管理システム５００は、動的な（ダイナミックな）方法でおよび実時間で、受信した購入提案２０のすべてを処理およびグループ化し、複数の売り手１００および複数の売り手１００の各オファーに付随する値によりグループ化されたある数の買い手２００についての製品またはサービスのマトリクスを決定する。
【００４８】
製品またはサービスのマトリクスから、複数の売り手１００は、すべてのオファー１０で与えられた購入提案２０の全ての全体的な観察を行う。さらに、マトリクスは、各売り手１００についてのロット３０を個別に示しており、ロット３０は、通信ネットワーク３００により決定され、各売り手１００の各オファー１０について受信された購入提案２０により構成される。
【００４９】
複数の買い手２００は、売り手１００の一人がその製品またはサービスについてのロット３０を取るのを待ち、このロットは、取る動作において取った売り手により定義される。
【００５０】
ロット３０は、売り手１００がロット３０を取る時にその対象であるとして定義する開始価格により決定され、この場合、この開始価格とそのそれぞれのロット３０を取った売り手１００のオファー１０のそれぞれについて受信した最高値との間の購入提案２０の和を有する。
【００５１】
複数の売り手１００は、オファー１０のすべてについての購入提案２０の全ての地球的な観察を行うため、複数の売り手１００は、魅力的と思われるロット３０を取るための適切な瞬間を決定できる。
【００５２】
次に、複数の売り手１００は、値により製品またはサービスの量を考慮して、それぞれのロット３０を解析し、購入提案２０の決定したロット３０からロット３０を獲得する。
【００５３】
依然として車両の例を使用すれば、複数の売り手１００は、それらのオファー１０について与えられた最高値までのうちで、32.000,00（通貨単位）の最低購入提案の判断基準でロット３０を取る。
【００５４】
一旦取ったロット３０が魅力的と考えられたら、管理システム５００は、このオークションへの参加者全員に、すなわち、複数の買い手２００および複数の売り手１００に、ロット３０が獲得されたことを通信する。
【００５５】
魅力的と考えられたロットを獲得した複数の売り手１００は、複数の売り手１００の判断基準内で、最高値までの最低値範囲内の購入提案２０（32.000,00より高い購入提案２０）を行った複数の買い手２００に売る。複数の売り手１００の判断基準より下の購入提案２０（R$32.000,00より低い購入提案２０）を出した複数の買い手２００の製品またはサービスについての購入提案は、無視される。
【００５６】
別の方法として、ロット３０が獲得された後、管理システム５００は、製品またはサービスの購入提案２０において、0%から100%の範囲でボーナス・ファクタ５０を適用する。このような可変のボーナス・ファクタ５０は、管理システム５００によりあらかじめ定義されるべきであり、オークションの開始前に各人に開示され、このボーナスには、獲得されたロット３０で与えられた最低購入提案２０の購入提案に、獲得されたロットの全ての値を近づけるという目的がある。このような近づけは、次の式により決定される。
(PPmin)+((1-B%)*(PRLmin))
ここで、PRminは、獲得されたそれぞれのロット３０の複数の購入提案２０の最低購入提案の価格範囲の値に対応する。
B%は、最低購入提案より高い複数の購入提案２０の購入提案に適用されるボーナス・パーセンテージに対応し（計算の結果、最低購入提案は同じ値に留まる）、この割引ファクタは管理システム５００により決定され、0%から100%の範囲である。
PRLは、複数の購入提案２０のそれぞれの購入提案の価格範囲で、ボーナスが適用される範囲の値に対応する。
【００５７】
管理システム５００が、ボーナス・ファクタ５０が"0%"であると決定すると、複数の買い手２００は、所定の購入提案２０により取られたロット３０の製品またはサービスを獲得する。
【００５８】
管理システム５００が、ボーナス・ファクタ５０が"100%"であると決定すると、複数の買い手２００のすべては、所定の最低購入提案２０により獲得されたロット３０の製品またはサービスを獲得する。
【００５９】
これまでの場面で、ボーナス・ファクタ５０の採用は、管理システム５００の選択であり、それは取られた値の「民主化」にあり、したがってより公平なシステムであり、市場の分析および得策(advisability)にしたがって管理され、ボーナス・ファクタ５０の適用は効率的である。
【００６０】
獲得されたロット３０の通信後、管理システム５００は、獲得されたロット３０の製品またはサービスを購入した複数の買い手２００の値の引き渡しを監視するように依然応答する。管理システム５００は、さらに複数の買い手２００への複数の売り手１００の製品またはサービスの供給を監視し、オークション管理料金（フィー）を徴収する。
【００６１】
次に、複数の売り手１００は、オファーされ売られた製品またはサービスを配送し、その間に複数の買い手２００は獲得した製品またはサービスの支払いを行う。
【００６２】
上記のステップが実行された後、製品またはサービスのオークションが終了する。
【００６３】
上記の方法およびシステムの利点は、ほぼ完全な市場になるということであり、そこでは、多数の買い手を一緒にする上で困難のある実際の市場とは異なり、この市場はそれらを一緒にするのが容易である。
【００６４】
再度述べると、完全な市場の場合には、次の要求が満たされるべきである。
(I)多数の売り手および買い手がいなければならず、それぞれの個別の決定が市場全体にほとんど影響しないこと。
(II)製品またはサービスの均質性が無ければならず、すべての売り手にとって等価であること。
(III)透明性がなければならず、参加者は、市場が機能する一般的な条件を十分に知っていること。
(IV)情報に自由にアクセスできること。
【００６５】
実施形態の好適な例を説明してきたが、本発明の範囲が他の変形例を包含し、可能な等価物を含む付属の特許請求の範囲の内容によってのみ制限されることが理解されるべきである。
【図１】
0006717580.tif 000002
【図２】
0006717580.tif 000003
【図３】
0006717580.tif 000004
【図４】
0006717580.tif 000005
【図５】
0006717580.tif 000006
【図６】
0006717580.tif 000007
【図７】
0006717580.tif 000008
【図８】
0006717580.tif 000009
【図９】
0006717580.tif 000010
【図１０】
0006717580.tif 000011
【図１１】
0006717580.tif 000012
【図１２】
0006717580.tif 000013